(57)【特許請求の範囲】
【請求項１】
走行装置に取り付けられ前記走行装置の回転駆動系で回転駆動される耕耘ロータリと、前記耕耘ロータリの後方に配置され畝の谷部と谷部の両側に法面を形成する土押体と、前記耕耘ロータリの前方に配置される畝成形用前処理板が設けられ、前記畝成形用前処理板は、走行方向に対して傾斜し走行方向の前側の端部は前記走行装置の車輪の後方外側に位置し、走行方向の後側の端部は前記耕耘ロータリの前方に位置していることを特徴とする畝成形装置。
【請求項２】
前記畝成形用前処理板は、前記走行装置に係止された支持部材に取り付けられ、前記畝成形用前処理板は、前記支持部材に軸止された自由回転可能な円板である第一前処理板と、前記支持部材に固定され前記第一前処理板の走行方向の後側の端部よりも後方内側に延出する板体である第二前処理板から成ることを特徴とする請求項１記載の畝成形装置。
【請求項３】
前記第一処理板は、前記走行方向の内側に向かって凹となる湾曲面が形成されていることを特徴とする請求項２記載の畝成形装置。
【発明の詳細な説明】
【技術分野】
【０００１】
この発明は、乗用トラクタ等の走行装置に取り付けられ、走行しながら土を移動させて盛り上げて畝を作る畝成形装置に関する。
【背景技術】
【０００２】
従来の畝成形装置は、乗用トラクタ等の走行装置に、走行装置の回転駆動系で回転する耕耘ロータリが取り付けられ、耕耘ロータリの後方には土押体が設けられている。このような畝成形装置は、走行しながら耕耘ロータリで土を側方へ飛ばして溝を形成し側方に土を盛り上げ、土押体で盛り上げた土の法面を鎮圧し、畝を成形する。
【０００３】
畝成形装置には、畝を均整に成形するためにいろいろな工夫が施されている。特許文献１に開示されている畦・畝付け機は、土押体が、走行装置の回転駆動系で開閉揺動運動して盛り上げた土の法面を鎮圧して畦や畝の法面を鎮圧することができる。
【０００４】
このような畝成形装置で広い耕地に複数本の畝を作るときの一例を、図４に示す。先ず一方向に乗用トラクタ等により畝成形装置１を走行させる。ここでは、畝成形装置１には３個の土押体２が設けられ、一回走行させると耕地に３本の谷部３が形成され、３本の谷部３の間に２本の山頂部４が形成される。山頂部４と谷部３の間には傾斜面である法面５が設けられ、山頂部４と一対の法面５により第一畝Ａが設けられる。畝成形装置１の走行方向の両脇には、法面５が片方だけ山頂部４へ向かう傾斜に設けられる。そして、畝成形装置１が耕地の周縁部付近に来ると、畝成形装置１をきり返して、第一畝Ａに隣接して、平行に戻りながらその隣に平行な第一畝Ａを形成する。畝成形装置１の走行方向の両脇に形成された片方だけの法面５は、次に形成された法面５により第一畝Ａとなる。これを繰り返して互いに平行な複数の第一畝Ａを耕地のほぼ全面に形成する。しかし、耕地の周縁部には畝成形装置１が折り返すスペースが残る。そこで、耕地面積を有効に活用するために、畝成形装置１を第一畝Ａに対してほぼ直角に走行させ、第一畝Ａの端部付近に、第一畝Ａにほぼ直交する第二畝Ｂを形成することがある。
【特許文献１】特開２００１−１６９０５号公報
【発明の開示】
【発明が解決しようとする課題】
【０００５】
図４に示すように、第一畝Ａの端部に第二畝Ｂを形成するとき、第一畝Ａの端部に土押体２で押出されて土の盛り上がり部６ができ、第一畝Ａの谷部３を埋めてしまい第一畝Ａの水はけが悪くなるという問題があった。これを解消するために、作業者が手作業で土を移動させて谷部３を再び形成し、水はけを良好にしていた。しかし、手作業であるため作業者の負担が大きく、大変であった。
【０００６】
この発明は、上記背景技術の問題点に鑑みてなされたものであり、畝の端部に、畝に交差する別の畝を簡単に形成する畝成形装置を提供することを目的とする。
【課題を解決するための手段】
【０００７】
本発明は、走行装置に取り付けられ前記走行装置の回転駆動系で回転駆動される耕耘ロータリと、前記耕耘ロータリの後方に配置され畝の谷部と谷部の両側に法面を形成する土押体と、前記耕耘ロータリの前方に配置される畝成形用前処理板が設けられ、前記畝成形用前処理板は走行方向に対して傾斜し、走行方向の前側の端部は前記走行装置の車輪の後方外側に位置し、走行方向の後側の端部は前記耕耘ロータリの前方に位置している
畝成形装置である。
【０００８】
前記畝成形用前処理板は、前記走行装置に係止された支持部材に取り付けられ、前記畝成形用前処理板は、前記支持部材に軸止された自由回転可能な円板である第一前処理板と、前記支持部材に固定され前記第一前処理板の走行方向の後側の端部よりも後方内側に延出する板体である第二前処理板から成る。前記第一処理板には、前記走行方向の内側に向かって凹となる湾曲面が形成されている。
【発明の効果】
【０００９】
本発明の畝成形装置は、畝の端部に、畝に直行する別の畝を簡単に形成することができる。先に作られた畝の谷部が、直行する後に作られた畝に埋められることが無く、水はけを確保することができる。先に作られた畝の谷部を掘って修正する手間がかからず、作業者の負担が軽く、作業効率が向上するものである。
【発明を実施するための最良の形態】
【００１０】
以下、この発明の実施形態について図面に基づいて説明する。図１、図２はこの発明の一実施形態を示すもので、この実施形態の畝成形装置１０は、乗用トラクタ等の走行装置１２が設けられ、走行装置１２には一対の前輪１４と、図示しない回転駆動系により駆動される一対の後輪１６が設けられている。
【００１１】
走行装置１２の後部には、連結部材１８が後方へ向かって突出し、連結部材１８の先端には枠部材２０が取り付けられている。枠部材２０は、ほぼ水平方向に保持された矩形であり、走行装置１２の走行方向に対してほぼ平行で所定間隔開けて互いに平行に位置する一対の横枠２０ａと、横枠２０ａの端部同士を連結する連結枠２０ｂで組み立てられている。
【００１２】
枠部材２０の、走行装置１２から離れている方の連結枠２０ｂには、棒状の耕耘ロータリ保持部材２２が設けられている。耕耘ロータリ保持部材２２は下方に延出し、延出した先端には覆い部材２４が設けられている。覆い部材２４は、例えばトレイを伏せたような形状の金属板と、金属板の周囲に貼り付けられた泥はね防止用のゴムシートが設けられている。覆い部材２４の下には、耕耘ロータリ２６が設けられている。耕耘ロータリ２６は、走行装置１２の回転駆動系により回転駆動される。
【００１３】
覆い部材２４には、コの字形の土押体保持部材２８が連結されている。土押体保持部材２８は耕耘ロータリ２６の上面から上方に延出し、コの字形に折り曲げられて下方へ延出し、延出した先端には土押体３０が設けられている。土押体３０は、例えば金属製の板で作られ、図２に示すように上方から見たときに土押体保持部材２８を中心として、走行方向の後側に開くハの字に折り曲げられている。土押体３０は、図１に示すように水平方向横から見たときは三角形であり、一辺３０ａは土押体保持部材２８に沿って垂直に位置し、他方の辺３０ｂは水平で土押体保持部材２８よりも後方に延出し、残りの辺３０ｃは、下方は土押体保持部材２８の先端近傍に位置し上方は辺３０ｂの端部に位置し、辺３０ｃのこの角度は、畝成形装置１０が作る畝の法面の角度となる。土押体３０の、ハの字の中間部分は、畝の谷底を形成する谷底部３０ｄである。
【００１４】
耕耘ロータリ保持部材２２の基端部付近には、前処理板保持部材３２が設けられている。前処理板保持部材３２は、耕耘ロータリ保持部材２２の前側の下方に延出する棒状の第一部材３２ａと、第一部材３２ａの延出した先端に設けられ上方に延出する棒状の第二部材３２ｂが設けられている。第二部材３２ｂの先端には、走行方向に対面する保持板３４が固定され、保持板３４には水平方向にボルト用の穴が複数個並べて設けられている。
【００１５】
保持板３４には、後述する畝成形用前処理板４６の位置を調整する調整部材３６が係止されている。調整部材３６には、保持板３４に重ねられる板状の横調整部３８が設けられ、横調整部３８には、保持板３４のボルト用の穴に連通する穴が、水平方向に複数個並べられて設けられている。横調整部３８の、保持板３４と反対側の面には、板状の取付部４０が一体に溶接されている。取付部４０は、水平方向に前方へ突出する直角三角形の板状であり、直角の頂点が横調整部３８から離れて前方に位置している。取付部４０の直角の頂点は、この頂点を一つの角部とする正方形状に切り欠かかれ、切り欠かれた部分に四角筒状の高さ調整部４２が一体に溶接されている。高さ調整部４２は、四角筒の挿通方向が取付部４０に対してほぼ直角に位置し、垂直方向に下方に延出している。高さ調整部４２の一つの角部は、走行方向の前方に位置し、この前方に位置した角部の、走行方向の外側に連続する側面４２ａには、垂直方向にボルト用の穴が複数個並べて設けられている。
【００１６】
調整部材３６の高さ調整部４２には、四角筒状の支持部材４４が挿通されて設けられている。支持部材４４には、高さ調整部４２の側面４２ａに重ねられる側面に、高さ調整部４２のボルト用の穴に連通する穴が、垂直方向に複数個並べられて設けられている。支持部材４４の下方の先端には、畝成形用前処理板４６が設けられている。畝成形用前処理板４６は、自由回転可能な円板である第一前処理板４８と、矩形の板体である第二前処理板５０が設けられている。畝成形用前処理板４６の第一前処理板４８と第二前処理板５０は、地面に対して、耕耘ロータリ２６とほぼ同じ深さに達して保持されている。
【００１７】
第一前処理板４８は、支持部材４４の、走行方向の前側で走行装置１２内側に面している側面４４ａに軸止されている。第一前処理板４８の角度は走行方向に対して傾斜し、第一前処理板４８の走行方向の前側の端部が、走行装置１２の後輪１６の後方外側に位置している。第一前処理板４８の走行方向の後側の端部は、耕耘ロータリ２６に対して走行方向前方に位置している。第一前処理板４８は、走行方向の内側に向かって凹となる湾曲面が形成されている。第二前処理板５０は、支持部材４４の、第一前処理板４８が取り付けられた側面４４ａと反対側の側面４４ｂに面一に溶接されて固定され、第一前処理板４８に対してほぼ平行に位置している。第二前処理板５０は、側面４４ｂから走行方向の後方内側に延出し、後側の端部は、第一前処理板４８の後側の端部を通過して土押体３０の谷底部３０ｄの進行方向前方に達している。
【００１８】
畝成形用前処理板４６は、調整部材３６のボルト用穴にボルトを挿通することにより畝成形装置１０に着脱自在であり、畝成形装置１０の走行方向の両脇のどちらにでも取り付けることができる。畝成形用前処理板４６の位置は、調整部材３６の横調整部３８と高さ調整部４２の位置を変えて、土の状態や耕耘ロータリ２６の大きさにあわせて調整する。
【００１９】
枠部材２０の、走行装置１２から離れている方の連結枠２０ｂには、連結枠２０ｂに沿って耕耘ロータリ２６を走行方向に対して直角方向に移動させるネジ部材５２が設けられている。ネジ部材５２は、連結枠２０ｂから横枠２０ａに対して平行に設けられ、ネジ部材５２の途中に、耕耘ロータリ２６が設けられた耕耘ロータリ保持部材２２の図示しないナット部材が螺合されて取り付けられている。ネジ部材５２の、横枠２０ａと反対の端部は、連結枠２０ｂに固定されたモータ５４に連結され、回転駆動される。ネジ部材５２は、連結枠２０ｂに取り付けられた３個の耕耘ロータリ２６のうち、両側の２個に設けられ、各々独立に連結枠２０ｂに沿って位置調整可能に設けられている。
【００２０】
次に、畝成形装置１０で広い耕地に複数本の畝を作るときの例を、図３に基づいて説明する。先ず、一方向に畝成形装置１０を走行させる。畝成形装置１０には３個の土押体３０が設けられているため、一回走行させると耕地に３本の谷部３が形成され、３本の谷部３の間に２本の山頂部４が形成される。山頂部４と谷部３の間には、傾斜面である法面５が設けられ、山頂部４と一対の法面５により第一畝Ａが設けられる。畝成形装置１の走行方向の両脇には、法面５が片方だけ山頂部４へ向かう傾斜に設けられる。そして、畝成形装置１０が耕地の周縁部付近に来ると、畝成形装置１０を切り返して、第一畝Ａに隣接して、平行に戻りながらその隣に平行な第一畝Ａを形成する。畝成形装置１の走行方向の両脇に形成された片方だけの法面５は、次に形成された法面５により第一畝Ａとなる。これを繰り返して互いに平行な複数の第一畝Ａを耕地のほぼ全面に形成する。このとき、耕地の周縁部には畝成形装置１０が折り返すスペースが残る。そこでこの部分に、畝成形装置１０を第一畝Ａに対してほぼ直角に走行させ、第一畝Ａの端部付近にほぼ直交する第二畝Ｂを形成する。
【００２１】
第二畝Ｂを形成するとき、走行方向の第一畝Ａに面する側に、畝成形用前処理板４６を取り付けて走行させる。このとき、第一畝Ａの端部の耕土は、畝成形用前処理板４６に当接して走行方向の内側へ移動し、第一畝Ａに一番近い土押体３０の谷底部３０ｄ付近に置かれるため、土押体３０が通過するときに第一畝Ａ側へ耕土が押出されることがない。これにより、第一畝Ａの端部に法面５が形成されず、図４に示すような従来の盛り上がり部６が生成されることがない。このため、第一畝Ａの谷部３が埋められることが無く、谷部３は側方に開放され、第一畝Ａの水はけが確保される。
【００２２】
この実施形態の畝成形装置１０によれば、第一畝Ａの端部に、第一畝Ａに交差する第二畝Ｂを、簡単に形成することができる。畝成形用前処理板４６の第一前処理板４８は自由回転する円板であり、耕土を少ない抵抗で移動させることができる。畝成形用処理板４６の第一前処理板４８で移動した耕土は、第二前処理板５０により、確実に土押体３０の谷底部３０ｄ付近に移動され、第一畝Ａへ耕土の盛り上がり部６ができることを確実に防ぐ。第一畝Ａの谷部３が埋められないため、第一畝Ａの水はけを確保することができる。盛り上がり部６を手作業で取り除く作業が不要であり、作業者の負担がなく、作業効率もよい。
【００２３】
畝成形用前処理板４６の位置は、調整部材３６により、垂直方向と、走行方向に対して略直角な水平方向に調整可能であり、耕耘ロータリ２６の大きさや第一畝Ａとの間隔等に合わせて自由に変更することができる。畝成形用前処理板４６は、走行方向の両脇のどちらにでも取り付けることができ、耕地の形状等に合わせて変更することができる。不要なときは、簡単に外すことができる。畝成形用前処理板４６は、支持部材４４に第一前処理板４８と第二前処理板５０をとりつけた簡単な構造であり、いろいろな種類の走行装置１２に取り付け、使用することができる。
【００２４】
なお、この発明の畝成形装置は、上記実施の形態に限定されるものではなく、歩行式などいろいろな種類の走行装置に取り付けることができ、耕耘ロータリや土押体の数や形状等も変更可能である。畝成形用前処理板の形状も変更可能であり、第一前処理板または第二前処理板のいずれか一方でもよい。畝成形用前処理板を走行装置に取り付ける前処理板保持部材や調整部材も、適宜変更可能である。畝成形装置は第一畝に直交する第二畝を形成する場合に限定されず、耕地の横に用水路や他の作物が植えられている区画がある場合などでも使用することができる。
【図面の簡単な説明】
【００２５】
【図１】この発明の一実施形態の畝成形装置の正面図である。
【図２】この実施形態の畝成形装置の上面図である。
【図３】この実施形態の畝成形装置の使用方法を示す上面図である。
【図４】従来の畝成形装置の使用方法を示す上面図である。
【符号の説明】
【００２６】
３  谷部
４  山頂部
５  法面
１０  畝成形装置
１２  走行装置
１６  後輪
２６  耕耘ロータリ
３０  土押体
３０ｄ  谷底部
３２  前処理板保持部材
３６  調整部材
４４  支持部材
４６  畝成形用前処理板
４８  第一前処理板
５０  第二前処理板
【図１】
0004654231.tif 000002
【図２】
0004654231.tif 000003
【図３】
0004654231.tif 000004
【図４】
0004654231.tif 000005